(57)【特許請求の範囲】
【請求項１】
商品を識別するための商品識別情報と、当該商品の色とを対応付けて記憶する記憶手段に基づいて、前記商品を選択するための商品選択キーを前記色の同じ商品について配置した色別商品表示画面を表示する表示手段と、
撮像手段によって撮像された商品の色を判別する色判別手段と、を備え、
前記表示手段は、前記色判別手段によって判別された前記色に対応する前記色別商品表示画面を表示する、情報処理装置。
【請求項２】
前記表示手段は、前記色を示す見出しタブが設けられた前記色別商品表示画面を、前記記憶手段に記憶されている前記色の分だけ重ねてタブ表示し、
前記見出しタブの選択操作を受付ける受付手段を更に備え、
前記表示手段は、前記色判別手段が前記商品の色を判別した場合には当該色に対応する前記色別商品表示画面を複数の前記色別商品表示画面の最前面に表示し、前記受付手段が前記見出しタブの選択操作を受付けた場合には当該見出しタブに対応する前記色別商品表示画面を前記最前面に表示する、
請求項１に記載の情報処理装置。
【請求項３】
前記表示手段は、前記色別商品表示画面において、前記商品選択キーを商品の分類ごとに分けて表示する、請求項１または２に記載の情報処理装置。
【請求項４】
前記表示手段は、前記色別商品表示画面において、前記商品選択キーが選択された選択回数の多い順に前記商品選択キーを表示する、請求項１ないし３のいずれか１つに記載の情報処理装置。
【請求項５】
前記表示手段は、商品の出回り時期と当該商品の前記商品識別情報とを対応付けて記憶する記憶手段を参照して、現在日付と前記出回り時期との適合度が高い順に、当該商品の前記商品選択キーを前記色別商品表示画面に表示する、請求項１ないし４のいずれか１つに記載の情報処理装置。
【請求項６】
情報処理装置を制御するコンピュータを、
商品を選別するための商品識別情報と、当該商品の色とを対応付けて記憶する記憶手段に基づいて、前記商品を選択するための商品選択キーを前記色の同じ商品について配置した色別商品表示画面を表示する表示手段と、
撮像手段によって撮像された商品の色を判別する色判別手段と、として機能させ、
前記表示手段は、前記色判別手段によって判別された前記色に対応する前記色別商品表示画面を表示する、プログラム。
【発明の詳細な説明】
【技術分野】
【０００１】
本発明の実施形態は、情報処理装置およびプログラムに関する。
【背景技術】
【０００２】
スーパーマーケット等の店舗では、商品に付されたバーコードや二次元コード等のコードシンボルから商品コードを読み取るスキャナと、スキャナが読み取った商品コードによってその商品の売上登録を行うＰＯＳ端末とを備えるチェックアウトシステムが広く用いられている。
【０００３】
このようなチェックアウトシステムにおいて、青果品や鮮魚等のバラ売り等、商品にコードシンボルを貼付しにくい商品については、スキャナまたはＰＯＳ端末の操作部に、商品に対応させたプリセットキー（商品選択キー）を設けておき、この商品選択キーが選択された場合にキーに対応する商品の売上登録を行うことができる。
【０００４】
ところで、商品数の増加に伴って商品選択キーのキー数が増加すると、所望するキーを探しづらくなり、選択操作に手間取ってしまうという課題がある。これに対して従来、商品の販売状況や商品の撮像画像に応じて複数のプリセットキーのキー配列を設定するＰＯＳ端末に関する技術が開示されている。
【発明の概要】
【発明が解決しようとする課題】
【０００５】
しかしながら、従来技術においては、販売状況や撮像画像から得られた情報に応じて、都度キー配列が変更されてしまうため、商品選択キーの選択操作をスムーズに行いづらいという課題があった。
【課題を解決するための手段】
【０００６】
実施形態の情報処理装置は、表示手段と、色判別手段とを備える。前記表示手段は、商品を識別するための商品識別情報と、当該商品の色とを対応付けて記憶する記憶手段に基づいて、前記商品を選択するための商品選択キーを前記色の同じ商品について配置した色別商品表示画面を表示する。前記色判別手段は、撮像手段によって撮像された商品の色を判別する。また、前記表示手段は、前記色判別手段によって判別された前記色に対応する前記色別商品表示画面を表示する。
【図面の簡単な説明】
【０００７】
【図１】図１は、第１の実施形態に係るチェックアウトシステムの一例を示す斜視図である。
【図２】図２は、ＰＯＳ端末及び商品読取装置のハードウェア構成を示すブロック図である。
【図３】図３は、ＰＬＵファイルのデータ構成を例示する図である。
【図４】図４は、ＰＯＳ端末及び商品読取装置の機能構成を示すブロック図である。
【図５】図５は、商品選択画面の一例を示す模式図である。
【図６】図６は、黄グループの色別商品表示タブの一例を示す模式図である。
【図７】図７は、商品読取装置が実行する商品情報出力処理の手順を示すフローチャートである。
【図８】図８は、ＰＯＳ端末が実行する売上登録処理の手順を示すフローチャートである。
【図９】図９は、第２の実施形態に係る色別商品表示タブにおいて、商品分類ごとに分けて商品選択キーを表示させた場合を示す模式図である。
【図１０】図１０は、第３の実施形態に係るＰＬＵファイルのデータ構成例を示す図である。
【図１１】図１１は、ＰＯＳ端末が売上登録処理時に実行する選択回数更新処理の手順を示すフローチャートである。
【図１２】図１２は、第４の実施形態にかかるＰＬＵファイルのデータ構成例を示す図である。
【発明を実施するための形態】
【０００８】
（第１の実施形態）
図１は、第１の実施形態に係るチェックアウトシステム１（店舗システム）の一例を示す斜視図である。図１に示すように、チェックアウトシステム１は、商品に関する情報を読み取る商品読取装置１０１と、一取引に係る商品の登録、精算を行うＰＯＳ端末１１とを備える。以下では、商品読取装置１０１を本実施形態にかかる情報処理装置として適用する例について説明する。尚、以下では、複数の図面に示される同様の構成については同一の符号を付して示し、その重複する説明を省略する場合がある。
【０００９】
ＰＯＳ端末１１は、チェックアウト台４１上のドロワ２１上面に載置されている。ドロワ２１は、ＰＯＳ端末１１によって開放動作の制御を受ける。ＰＯＳ端末１１の上面には、オペレータ（店員）によって押下操作されるキーボード２２が配置されている。キーボード２２を操作するオペレータから見てキーボード２２よりも奥側には、オペレータに向けて情報を表示する表示デバイス２３が設けられている。表示デバイス２３は、その表示面２３ａに情報を表示する。表示面２３ａには、タッチパネル２６が積層されている。表示デバイス２３よりもさらに奥側には、顧客用表示デバイス２４が回転可能に立設されている。顧客用表示デバイス２４は、その表示面２４ａに情報を表示する。なお、図１に示す顧客用表示デバイス２４は、表示面２４ａを図１中手前側に向けているが、表示面２４ａが図１中奥側に向くように顧客用表示デバイス２４を回転させることによって、顧客用表示デバイス２４は顧客に向けて情報を表示する。
【００１０】
ＰＯＳ端末１１が載置されているチェックアウト台４１とＬ字を形成するようにして、横長テーブル状のカウンタ台１５１が配置されている。カウンタ台１５１の上面には、荷受け面１５２が形成されている。荷受け面１５２には、商品Ｇを収納する買物カゴ１５３が載置される。買物カゴ１５３は、顧客によって持ち込まれる第１の買物カゴ１５３ａと、第１の買物カゴ１５３ａから商品読取装置１０１を挟んだ位置に載置される第２の買物カゴ１５３ｂとに分けて考えることができる。なお、買物カゴ１５３は、いわゆるカゴ形状のものに限るものではなく、トレー等であってもよい。また、買物カゴ１５３（第２の買物カゴ１５３ｂ）は、いわゆるカゴ形状のものに限らず、箱状や袋状等であってもよい。
【００１１】
カウンタ台１５１の荷受け面１５２には、ＰＯＳ端末１１とデータ送受信可能に接続された商品読取装置１０１が設置されている。商品読取装置１０１は、薄型矩形形状のハウジング１０２を備える。ハウジング１０２の正面には読取窓１０３が配置されている。ハウジング１０２の上部には、表示・操作部１０４が取り付けられている。表示・操作部１０４には、タッチパネル１０５が表面に積層された表示デバイス１０６が設けられている。表示デバイス１０６の右隣にはキーボード１０７が配設されている。キーボード１０７の右隣には、図示しないカードリーダのカード読取溝１０８が設けられている。オペレータから見て表示・操作部１０４の裏面左奥側には、顧客に情報を提供するための顧客用表示デバイス１０９が設置されている。
【００１２】
このような商品読取装置１０１は、商品読取部１１０（図２参照）を備えている。商品読取部１１０は、読取窓１０３の奥側に撮像部１６４（図２参照）を配置している。
【００１３】
顧客によって持ち込まれた第１の買物カゴ１５３ａには、一取引に係る商品が収納されている。第１の買物カゴ１５３ａ内の商品は、商品読取装置１０１を操作するオペレータにより第２の買物カゴ１５３ｂに移動される。この移動過程で、商品が商品読取装置１０１の読取窓１０３に向けられる。この際、読取窓１０３内に配置された撮像部１６４（図２参照）は商品を撮像する。
【００１４】
商品読取装置１０１では、撮像部１６４により撮像された画像に含まれる商品が、後述するＰＬＵファイルＦ１（図３参照）に登録されたどの商品に対応するかを指定させるための画面を表示・操作部１０４に表示し、指定された商品の商品コードをＰＯＳ端末１１に通知する。ＰＯＳ端末１１では、商品読取装置１０１から通知される商品コードに基づき、当該商品コードに対応する商品の商品分類、商品名、単価等の売上登録に係る情報を、売上マスタファイル（図示しない）等に記録して売上登録を行う。
【００１５】
図２は、ＰＯＳ端末１１及び商品読取装置１０１のハードウェア構成を示すブロック図である。ＰＯＳ端末１１は、情報処理を実行する情報処理部としてのマイクロコンピュータ６０を備える。マイクロコンピュータ６０は、各種演算処理を実行し各部を制御するＣＰＵ（Central  Processing  Unit）６１に、ＲＯＭ（Read  Only  Memory）６２とＲＡＭ（Random  Access  Memory）６３とがバス接続されて構成されている。
【００１６】
ＰＯＳ端末１１のＣＰＵ６１には、前述したドロワ２１、キーボード２２、表示デバイス２３、タッチパネル２６、顧客用表示デバイス２４がいずれも各種の入出力回路（いずれも図示せず）を介して接続されている。これらは、ＣＰＵ６１による制御を受ける。
【００１７】
キーボード２２は、「１」、「２」、「３」…等の数字や「×」という乗算の演算子が上面に表示されているテンキー２２ｄ、仮締めキー２２ｅ、及び締めキー２２ｆを含む。
【００１８】
ＰＯＳ端末１１のＣＰＵ６１には、ＨＤＤ６４（Hard  Disk  Drive）が接続されている。ＨＤＤ６４には、プログラムや各種ファイルが記憶されている。ＨＤＤ６４に記憶されているプログラムや各種ファイルは、ＰＯＳ端末１１の起動時に、その全部又は一部がＲＡＭ６３にコピーされてＣＰＵ６１により実行される。ＨＤＤ６４に記憶されているプログラムの一例は、商品販売データ処理用のプログラムＰＲである。ＨＤＤ６４に記憶されているファイルの一例は、ストアコンピュータＳＣから配信されて格納されているＰＬＵファイルＦ１である。
【００１９】
ＰＬＵファイルＦ１は、店舗に陳列して販売する商品の各々について、商品の売上登録にかかる情報と、その商品の画像との関連付けが設定された商品ファイルである。
【００２０】
図３は、ＰＬＵファイルＦ１のデータ構成を例示する概念図である。図３に示すように、ＰＬＵファイルＦ１は、商品ごとに、ユニークに割り当てられた商品コード、商品が属する商品分類、商品名、単価等の商品に関する情報と、その商品が属する色グループとを、その商品の商品情報として格納するファイルである。なお、ＰＬＵファイルＦ１は、後述する接続インターフェース６５（図２参照）を介し、商品読取装置１０１が読み出し可能に構成されている。
【００２１】
色グループの欄には、「赤」、「黄」、「緑」…など商品の色を示す色情報が各商品に対して登録され、これにより商品は各グループの色に色分けされている。商品の色は、実際には個体差があり収穫時期等によっても色合いが変化する。従って厳密にＲＧＢ値等で管理することは難しいが、本実施形態では上述のように商品の色を端的に、人の感覚に沿って予め色分けしておくことにより、商品のグルーピングを単純化することができる。
【００２２】
図２に戻り、ＰＯＳ端末１１のＣＰＵ６１には、ストアコンピュータＳＣとデータ通信を実行するための通信インターフェース２５が入出力回路（図示せず）を介して接続されている。ストアコンピュータＳＣは、店舗のバックヤード等に設置されている。ストアコンピュータＳＣのＨＤＤ（図示せず）には、ＰＯＳ端末１１に配信されるＰＬＵファイルＦ１が格納されている。
【００２３】
さらに、ＰＯＳ端末１１のＣＰＵ６１には、商品読取装置１０１との間でデータ送受信を可能にする接続インターフェース６５が接続されている。接続インターフェース６５には、商品読取装置１０１が接続されている。また、ＰＯＳ端末１１のＣＰＵ６１には、レシート等に印字を行うプリンタ６６が接続されている。ＰＯＳ端末１１は、ＣＰＵ６１の制御の下、一取引の取引内容をレシートに印字する。
【００２４】
商品読取装置１０１も、マイクロコンピュータ１６０を備える。マイクロコンピュータ１６０は、ＣＰＵ１６１にＲＯＭ１６２とＲＡＭ１６３とがバス接続されて構成されている。ＲＯＭ１６２には、ＣＰＵ１６１によって実行されるプログラムが記憶されている。ＣＰＵ１６１には、撮像部１６４、音声出力部１６５が各種の入出力回路（いずれも図示せず）を介して接続されている。撮像部１６４、音声出力部１６５は、ＣＰＵ１６１によって動作が制御される。表示・操作部１０４は接続インターフェース１７６を介して、商品読取部１１０及びＰＯＳ端末１１に接続されている。表示・操作部１０４は、商品読取部１１０のＣＰＵ１６１、ＰＯＳ端末１１のＣＰＵ６１によって動作が制御される。
【００２５】
撮像部１６４は、カラーＣＣＤイメージセンサやカラーＣＭＯＳイメージセンサ等であり、ＣＰＵ１６１の制御の下で読取窓１０３からの撮像を行う撮像手段である。例えば撮像部１６４では３０ｆｐｓの動画像の撮像を行う。撮像部１６４が所定のフレームレートで順次撮像したフレーム画像（撮像画像）はＲＡＭ１６３に保存される。
【００２６】
音声出力部１６５は、予め設定された警告音等を発生するための音声回路とスピーカ等である。音声出力部１６５は、ＣＰＵ１６１の制御の下で警告音や音声による報知を行う。
【００２７】
さらに、ＣＰＵ１６１には、ＰＯＳ端末１１の接続インターフェース６５に接続して、ＰＯＳ端末１１との間でデータ送受信を可能にする接続インターフェース１７５が接続されている。また、ＣＰＵ１６１は、接続インターフェース１７５を介して、表示・操作部１０４との間でデータ送受信を行う。
【００２８】
次に、ＣＰＵ６１、ＣＰＵ１６１がプログラムを実行することで実現されるＰＯＳ端末１１、商品読取装置１０１の機能構成について、図４を参照して説明する。
【００２９】
図４は、ＰＯＳ端末１１及び商品読取装置１０１の機能構成を示すブロック図である。図４に示すように、商品読取装置１０１のＣＰＵ１６１は、ＲＯＭ１６２が格納するプログラムを実行することにより、画像取込部５１、コード読取部５２、商品検出部５３、色判別部５４、表示制御部５５、入力受付部５６、情報出力部５７としての機能を備える。また、同様に、ＰＯＳ端末１１のＣＰＵ６１は、プログラムＰＲを実行することにより、売上登録部６１１としての機能を備える。
【００３０】
画像取込部５１は、撮像部１６４に撮像オン信号を出力して撮像部１６４に撮像動作を開始させる。画像取込部５１は、撮像動作開始後に撮像部１６４が撮像してＲＡＭ１６３に保存されたフレーム画像を順次取り込む。画像取込部５１によるフレーム画像の取り込みは、ＲＡＭ１６３に保存された順に行われる。
【００３１】
コード読取部５２は、画像取込部５１により取り込まれたフレーム画像から、バーコードや二次元コード等のコードシンボルの画像を抽出し、当該コードシンボルに対応付けられた商品コードを読み取る。
【００３２】
商品検出部５３は、画像取込部５１により取り込まれたフレーム画像に含まれる商品の全部または一部を、パターンマッチング技術等を用いて検出する。具体的には、取り込まれたフレーム画像を２値化した画像から輪郭線等を抽出する。次いで、前回のフレーム画像から抽出された輪郭線と、今回のフレーム画像から抽出された輪郭線とを比較して、売上登録のために読取窓１０３に向けられた商品の少なくとも一部を含む画像領域を検出する。
【００３３】
なお、商品を検出する別の方法としては、取り込まれたフレーム画像から肌色領域の有無を検出する。次いで、肌色領域が検出された場合、すなわち、店員の手が検出された場合は、この肌色領域の近傍において上述した輪郭線の検出を行うことで、店員の手が把持していると想定される商品の輪郭抽出を試みる。この時、手の形状を示す輪郭と、手の輪郭の近傍にそれ以外の物体の輪郭とが検出された場合、この物体の輪郭から商品を検出する。
【００３４】
色判別部５４は、商品検出部５３が検出した商品の色がＰＬＵファイルＦ１に登録されている色グループのうちいずれの色グループに属するかを判別する。換言すれば、色判別部５４は、撮像部１６４によって撮像された商品が、いずれの色グループに属するかを判別する。
【００３５】
例えば、適宜設定可能な定数αを用いて、（Ｒ明度、Ｇ明度、Ｂ明度）が、（２５５±α、０±α、０±α）の範囲内である場合には赤、（２５５±α、２５５±α、０±α）の範囲内である場合には黄、（０±α、２５５±α、０±α）の範囲内である場合には緑、（２５５±α、０±α、２５５±α）の範囲内である場合には紫、（０±α、０±α、２５５±α）の範囲内である場合には青などと、各色として判別するためのＲＧＢ値の範囲を予め設定しておく。そして、色判別部５４は、商品が検出された画像領域のＲＧＢ値の平均値が、上述した各色の所定範囲内に入るか否か判定し、範囲内となる色をその商品の色として判別する。
【００３６】
尚、ここでは２４ビットカラー方式を用いる場合を説明したが、その他のカラー方式を用いる場合には適宜上記範囲を設定すればよい。また、上述では５色についてその設定範囲例を挙げたが、その他の設定範囲によってその他の色を判定するための条件を設定してもよい。
【００３７】
表示制御部５５は、表示・操作部１０４の表示デバイス１０６における表示処理を制御する。また、表示制御部５５は、商品を選択するための商品選択画面８０（図５参照）を表示デバイス１０６に表示する。
【００３８】
まず、商品選択画面８０の構成例について説明する。図５は、商品選択画面８０の一例を示す模式図である。図５に示すように、商品選択画面８０は、タブ方式のＧＵＩ（ＴＤＩ：Tabbed  Document  Interface）で構成される。即ち、各色グループの商品に対して設けられた色別商品表示タブ７０を１つの画面内で切替えて表示するグラフィカルユーザインタフェース（ＧＵＩ）によって構成されている。
【００３９】
例えば、商品選択画面８０には「赤」、「黄」、「緑」、「紫」、「青」と示された見出しタブ７１Ｒ、７１Ｙ、７１Ｇ、７１Ｐ、７１Ｂが表示されている。そして商品選択画面８０には、「赤」の見出しタブ７１Ｒが設けられた赤グループの色別商品表示タブ７０Ｒ、「黄」の見出しタブ７１Ｙが設けられた黄グループの色別商品表示タブ７０Ｙ（図６参照）…など、各グループの見出しタブ７１が設けられた複数の色別商品表示タブ７０が重ね表示されている。表示制御部５５は、入力受付部５６が受付けた見出しタブ７１（７１Ｒ、７１Ｙ等）の選択操作、或いは、色判別部５４の判別結果等に応じて、他の色別商品表示タブ７０を呼び出してタブ表示を切替える。表示切替については後述する。
【００４０】
見出しタブ７１、および、商品選択キー７２は、対応する色グループの色を用いて表示される。例えば、赤グループの見出しタブ７１Ｒ、赤グループの商品選択キー７２ａ、７２ｂ、７２ｃ…は赤色で表示され、黄グループの見出しタブ７１Ｙ、黄グループの商品選択キー７２ｘ、７２ｙ、７２ｚ…は黄色で表示される。尚、キー表示領域７３など、その他の部分についても対応する色グループの色を用いて表示してもよい。これにより、オペレータが直感的に商品のグループを選択し易くなり、各商品がどの色グループに属するのかを視覚的に記憶しやすくすることができる。
【００４１】
また、図５の例では、見出しタブ７１がキー表示領域７３の左側に設けられているが、見出しタブ７１の配置は特に限定されず、キー表示領域７３の上部、下部、右側、左側のいずれであってもよく、当該配置は設定によって変更可能に構成されてもよい。
【００４２】
次に、色別商品表示タブ７０のより詳細な構成について、図５に示す赤グループの色別商品表示タブ７０Ｒの例を参照して説明する。図５に示すように、赤グループの色別商品表示タブ７０Ｒには、赤グループであることを示す見出しタブ７１Ｒと、商品選択キー７２を表示するためのキー表示領域７３とが少なくとも含まれている。赤グループのキー表示領域７３Ｒには、色グループが「赤」としてＰＬＵファイルＦ１に登録されている商品の商品選択キー７２ａ、７２ｂ、７２ｃ…が並べられる。各商品選択キー７２には、ＰＬＵファイルＦ１に登録されている商品名が表示される。
【００４３】
即ち、色別商品表示タブ７０は、色の同じ商品について商品選択キー７２が配置された画面（色別商品表示画面）である。各商品選択キー７２が表示・操作部１０４のタッチパネル１０５を介して選択操作された場合には、各キーに表示されている商品名に対応する商品コードがＰＬＵファイルＦ１から読み込まれる。
【００４４】
次に、表示制御部５５による色別商品表示タブ７０の表示切替動作について説明する。表示制御部５５は、（１）見出しタブ７１の選択操作による切替と、（２）色判別部５４の判定結果に基づく切替とのいずれかによって色別商品表示タブ７０の表示切替を行う。
【００４５】
（１）見出しタブ７１の選択操作によるタブ切替
表示制御部５５は、後述する入力受付部５６が見出しタブ７１のうちいずれか１つの選択が受付けられた場合に、受付けられた見出しタブ７１が示す色に対応する色別商品表示タブ７０に表示を切替える。オペレータは、商品選択画面８０に常に表示されている複数の見出しタブ７１から１つのタブをタッチ選択することにより、所望する色に対する商品の商品選択キー７２に表示を絞り込むことができる。
【００４６】
（２）色判別部５４の判別結果に基づくタブ切替
また、表示制御部５５は、色判別部５４によって判別された商品の色（色グループ）に対応する色別商品表示タブ７０に表示を切替える。
【００４７】
例えば、図５のように赤グループの色別商品表示タブ７０Ｒが表示されている状態で、（１）黄グループの見出しタブ７１Ｙが選択操作された場合、或いは、（２）色判別部５４によって商品の色が黄色であると判別された場合に、表示制御部５５は、赤グループの色別商品表示タブ７０Ｒ（図５参照）から、黄グループの色別商品表示タブ７０Ｙ（図６参照）に画面表示を切替えて表示する。図６に示すように、黄グループの色別商品表示タブ７０Ｙのキー表示領域７３Ｙには、ＰＬＵファイルＦ１において色グループが「黄」と対応付けられている商品の商品選択キー７２ｘ、７２ｙ、７２ｚ…が並べて表示される。
【００４８】
入力受付部５６は、タッチパネル１０５またはキーボード１０７を介して表示デバイス１０６の表示に対応する各種入力操作を受付ける。
【００４９】
例えば入力受付部５６は、タッチパネル１０５を介して見出しタブ７１のいずれか１つが選択操作された場合に、その見出しタブ７１の色グループが選択されたことを受付ける。
【００５０】
また、入力受付部５６は、タッチパネル１０５を介して、商品選択画面８０（図５、図６参照）内の商品選択キー７２が選択操作された場合に、その商品選択キー７２に対応付けられた商品の商品コードをＰＬＵファイルＦ１から読み込む。
【００５１】
情報出力部５７は、入力受付部５６が読み込んだ商品コード、或いは、上述のようにコード読取部５２が読み取った商品コードを、接続インターフェース１７５を介してＰＯＳ端末１１に出力する。
【００５２】
尚、情報出力部５７は、タッチパネル１０５又はキーボード１０７を介して別途入力された販売個数を、商品コード等とともにＰＯＳ端末１１に出力してもよい。また、情報出力部５７がＰＯＳ端末１１に出力する情報としては、情報出力部５７がＰＬＵファイルＦ１から読み出した商品コードを直接通知してもよいし、商品コードを特定することが可能な商品名を通知してもよいし、その商品コードの格納場所（ＰＬＵファイルＦ１での格納アドレス）をＰＯＳ端末１１に通知してもよい。
【００５３】
ＰＯＳ端末１１の売上登録部６１１は、情報出力部５７から出力された商品コードと販売個数とに基づいて、対応する商品の売上登録を行う。具体的に、売上登録部６１１は、ＰＬＵファイルＦ１を参照して、通知された商品コード及び当該商品コードに対応する商品分類、商品名、単価等を、販売個数とともに売上マスタファイル等に記録して売上登録を行う。
【００５４】
次に、チェックアウトシステム１の動作例について説明する。先ず、商品読取装置１０１の動作例について説明する。図７は、商品読取装置１０１が実行する商品情報出力処理の手順を示すフローチャートである。
【００５５】
ＰＯＳ端末１１による商品登録の開始等に応じて処理が開始されると、画像取込部５１は、撮像部１６４に撮像オン信号を出力して撮像部１６４による撮像を開始する（ステップＳ１）。画像取込部５１は、撮像部１６４が撮像してＲＡＭ１６３に保存されたフレーム画像（撮像画像）を取り込む（ステップＳ２）。次いで、コード読取部５２は、ステップＳ２で取り込んだフレーム画像からコードシンボルの画像を抽出し、当該コードシンボルに対応付けられた商品コードを読み取るコード読取処理を行う（ステップＳ３）。そして、コード読取部５２は、フレーム画像から商品コードを読み取ったか否かを判定する（ステップＳ４）。
【００５６】
商品コードを読み取った場合（ステップＳ４：Ｙｅｓ）には、情報出力部５７は、読み取った商品コードをＰＯＳ端末１１に出力する（ステップＳ５）。また、入力受付部５６がキーボード１０７を介して販売個数の入力を受付けた場合には、情報出力部５７は当該販売個数を商品コードとともにＰＯＳ端末１１に出力する。販売個数の入力を受付けない場合には、情報出力部５７は当該商品の販売個数を１個として出力する（ステップＳ５）。その後はステップＳ６に移行する。一方、商品コードを読み取らなかった場合（ステップＳ４：Ｎｏ）には、コード読取処理を開始してから所定時間が経過したか否かを判定する（ステップＳ８）。所定時間が経過していない場合（ステップＳ８：Ｎｏ）にはステップＳ４に戻る。
【００５７】
所定時間以上経過した場合（ステップＳ８：Ｙｅｓ）には、商品検出部５３は、ステップＳ２で取り込まれたフレーム画像から商品の全部または一部の検出を行う（ステップＳ９）。続いて、色判別部５４は、ステップＳ９で検出された商品の画像領域のＲＧＢ値の平均値から、その商品の色を判別する（ステップＳ１０）。
【００５８】
表示制御部５５は、ステップＳ１０において判別された色に対応する色別商品表示タブ７０がタブの最前面となるように表示デバイス１０６に表示する（ステップＳ１１）。次に、入力受付部５６は、色別商品表示タブ７０において商品選択キー７２が選択されたか否かを判定する（ステップＳ１２）。選択された場合（ステップＳ１２：Ｙｅｓ）には、情報出力部５７は、選択された商品選択キー７２に対応する商品の商品コードをＰＯＳ端末１１に出力する（ステップＳ１３）。また、入力受付部５６がキーボード１０７を介して販売個数の入力を受付けた場合には、情報出力部５７は当該販売個数を商品コードとともにＰＯＳ端末１１に出力する。販売個数の入力を受付けない場合には、情報出力部５７は当該商品の販売個数を１個として出力し（ステップＳ１３）、ステップＳ６に移行する。なお、販売個数の入力方法は特に限定されず、例えば、色別商品表示タブ７０の商品選択キー７２にタッチした回数を販売個数として受付けてもよい。
【００５９】
商品選択キー７２が選択されない場合（ステップＳ１２：Ｎｏ）には、入力受付部５６は見出しタブ７１が選択されたか否かを判定する（ステップＳ１４）。見出しタブ７１が選択されない場合（ステップＳ１４：Ｎｏ）にはステップＳ１２に戻る。見出しタブ７１が選択された場合（ステップＳ１４：Ｙｅｓ）には、選択された見出しタブに対応する色別商品表示タブ７０を、タブの最前面となるように表示デバイス１０６に表示する（ステップＳ１５）。そして、ステップＳ１２に移行する。
【００６０】
ステップＳ５、Ｓ１３の後、ＣＰＵ１６１は、ＰＯＳ端末１１から商品登録の終了通知等による業務終了の有無を判定する（ステップＳ６）。業務を継続する場合（ステップＳ６：Ｎｏ）、ＣＰＵ１６１は、ステップＳ２へ処理を戻して処理を継続させる。業務を終了する場合（ステップＳ６：Ｙｅｓ）、画像取込部５１は、撮像部１６４に撮像オフ信号を出力して撮像部１６４による撮像を終了し（ステップＳ７）、処理を終了する。
【００６１】
次に、ＰＯＳ端末１１の動作例について説明する。図８は、ＰＯＳ端末１１が実行する売上登録処理の手順を示すフローチャートである。
【００６２】
まず、キーボード２２の操作指示による商品登録の開始等に応じて処理が開始されると、ＣＰＵ６１は、商品読取装置１０１が図７のステップＳ５またはＳ１３で出力した商品コードおよび販売個数を受信する（ステップＳ２１）。次いで、売上登録部６１１は、ステップＳ２１で受信した商品コード及び販売個数に基づいて、ＰＬＵファイルＦ１から商品種別や単価等を読み出し、商品読取装置１０１で読み取られた商品の売上を売上マスタファイルに登録する（ステップＳ２２）。続いて、ＣＰＵ６１は、キーボード２２の操作指示による売上登録の終了等による業務終了の有無を判定する（ステップＳ２３）。業務を継続する場合（ステップＳ２３：Ｎｏ）、ＣＰＵ６１は、ステップＳ２１へ再び戻り処理を継続させる。業務を終了する場合（ステップＳ２３：Ｙｅｓ）、ＣＰＵ６１は処理を終了する。
【００６３】
このように、第１の実施形態の商品読取装置１０１によれば、商品の色を判別して、その色に対応する色別商品表示タブ７０を表示させるので、一度に画面表示させる商品選択キー７２の数を絞り込むことができる。従って、オペレータはキー配置を把握し易くなり、商品選択キー７２の選択操作を行い易くなる。
【００６４】
また、上述のように、本実施形態の商品読取装置１０１によれば、商品選択画面８０には見出しタブ７１が常に表示され、この見出しタブ７１の選択操作によって所望する色グループの色別商品表示タブ７０に表示を切替えることができる。これにより、色判別によって切替えられた色別商品表示タブ７０に所望する商品選択キー７２が含まれていない場合に、手動でタブの切替を行って、所望する商品選択キー７２を選択することができる。
【００６５】
（第２の実施形態）
尚、色別商品表示タブ７０の表示形態は上述した例に限定されず、その他の画面構成であってもよい。例えば、表示制御部５５は、色別商品表示タブ７０において、商品選択キー７２を商品の分類ごとに分けて表示してもよい。商品の分類とは、ＰＬＵファイルＦ１（図３参照）に予め登録されている商品分類のことで、例えば、果物、野菜、鮮魚などの分類を用いることができる。
【００６６】
図９は、第２の実施形態に係る色別商品表示タブ７０において、商品分類ごとに分けて商品選択キー７２を表示させた場合を示す模式図である。図９に示すように、本実施形態の色別商品表示タブ７０（７０Ｒ）には、商品分類が野菜である商品の商品選択キー７２を表示するためのキー表示領域２７３ａと、商品分類が果物である商品の商品選択キー７２を表示するためのキー表示領域２７３ｂとが設けられる。そして、キー表示領域２７３ａには、商品分類が野菜である商品の商品選択キー７２として、「トマト」、「パプリカ（赤）」、「にんじん」…等が表示される。また、キー表示領域２７３ｂには、商品分類が果物である商品の商品選択キー７２として、「りんご（陸奥）」、「りんご（富士）」、「りんご（ジョナゴールド）」…等が表示される。
【００６７】
このように、本実施形態の色別商品表示タブ７０では、商品分類ごとに分けて商品選択キー７２が表示されるため、所望する商品選択キー７２をよりスピーディに見つけ易くすることができる。
【００６８】
（第３の実施形態）
さらにその他の表示形態として、表示制御部５５は、色別商品表示タブ７０を商品選択キー７２が選択された回数の多い順にキー表示領域７３（図５など参照）に表示してもよい。尚、商品選択キー７２が選択された選択回数を計数する機能は、ＰＯＳ端末１１、商品読取装置１０１のいずれに備えられてもよい。ここでは一例として、ＰＯＳ端末１１のＣＰＵ６１が上記計数機能を有する場合について説明する。
【００６９】
図１０は、第３の実施形態に係るＰＬＵファイルＦ２のデータ構成例を示す図である。図１０に示すように、本実施形態のＰＬＵファイルＦ２には、商品コード、商品分類、商品名、単価、色グループとともに、その商品の商品選択キーが選択された回数である選択回数が格納される。
【００７０】
図１１は、ＰＯＳ端末１１が売上登録処理時に実行する選択回数更新処理の手順を示すフローチャートである。尚、図８で説明した手順については同一の符号を付してここでの説明を一部省略する。ＰＯＳ端末１１のＣＰＵ６１は、ステップＳ２１において受信した商品コード及び販売個数をＰＬＵファイルＦ２に格納して売上登録を行う（ステップＳ２２）。加えて、ＣＰＵ６１は、ＰＬＵファイルＦ２において、売上登録を行った商品の選択回数を販売個数分だけ増加させて更新する（ステップＳ３０）。
【００７１】
商品読取装置１０１の表示制御部５５は、ＰＬＵファイルＦ２の選択回数を参照し、色別商品表示タブ７０（図５参照）において、選択回数が多い順に商品選択キー７２を表示する。
【００７２】
このように、第３の実施形態の色別商品表示タブ７０では、選択回数が多い順に商品選択キー７２が表示されるため、頻繁に買い上げられている商品の商品選択キー７２を上位に上げて表示させることが可能となり、頻繁に買い上げられている商品ほどスピーディに選択しやすくできる。
【００７３】
（第４の実施形態）
さらにその他の形態として、表示制御部５５は、現在日付が商品の出回り時期とどの程度適合しているかを示す時期適合度を算出し、時期適合度が高い商品ほど、即ち、出回り時期に適合している商品ほど、その商品の商品選択キー７２を上位に上げてキー表示領域７３に表示してもよい。
【００７４】
図１２は、第４の実施形態にかかるＰＬＵファイルＦ３のデータ構成例を示す図である。図１２に示すように、本実施形態のＰＬＵファイルＦ３には、商品コード、商品分類、商品名、単価、色グループとともに、商品の出回り時期が格納される。商品の出回り時期は、一般的に知られている出回り時期を転用してよいが、店舗における実績データ等に基づいて出回り時期を登録してもよい。
【００７５】
尚、時期適合度の算出方法については特に限定されないが、以下ではその一例について記載する。例えば、表示制御部５５は、現在日付と、商品の出回り時期の中期とのずれを時期適合度として用いる。即ち、図１２に示す例において、さんまの出回り時期は８〜１１月なので、出回り時期の中期は例えば１０月１日となる。また、まいわしの出回り時期は６〜８月なので、出回り時期の中期は例えば７月１５日となる。従って、現在日付が１１月１日である場合には、表示制御部５５は、さんまの方がまいわしよりも時期適合度が高いと判定し、さんまに対応する商品選択キー７２を、まいわしの商品選択キー７２よりも上位に表示する。尚、例えば同じ列なら左側、同じ行なら上側を上位とすればよいが、上位となるキー配置については特に限定されない。
【００７６】
また、上述では出回り時期に単に期間を登録する例について説明したが、出回り時期は８月には全体のｘパーセントの出回り量、９月には全体のｙパーセントの出回り量…等と、より詳細なデータを用いて、出回り量が多い商品ほどキー配置を上位に表示してもよい。
【００７７】
このように、第４の実施形態の色別商品表示タブ７０では、現在日付と商品の出回り時期との適合度の高い順に商品選択キー７２が表示されるため、旬の商品ほど上位に表示させることができる。旬の商品ほど出回り量も多く、客による買い上げ量も多くなり易いため、旬の商品をスピーディに選択し易くすることができる。
【００７８】
なお、上記実施形態の商品読取装置１０１で実行されるプログラムは、ＲＯＭ等に予め組み込まれて提供される。上記実施形態の商品読取装置１０１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００７９】
さらに、上記実施形態の商品読取装置１０１で実行されるプログラムを、インターネット等のネットワークに接続されたコンピュータ上に格納し、ネットワーク経由でダウンロードさせることにより提供するように構成しても良い。また、上記実施形態の商品読取装置１０１で実行されるプログラムをインターネット等のネットワーク経由で提供または配布するように構成しても良い。
【００８０】
上記実施形態の商品読取装置１０１で実行されるプログラムは、上述した各部（画像取込部５１、コード読取部５２、商品検出部５３、色判別部５４、表示制御部５５、入力受付部５６、情報出力部５７）を含むモジュール構成となっており、実際のハードウェアとしてはＣＰＵ（プロセッサ）が上記ＲＯＭからプログラムを読み出して実行することにより上記各部が主記憶装置上にロードされ、画像取込部５１、コード読取部５２、商品検出部５３、色判別部５４、表示制御部５５、入力受付部５６、情報出力部５７が主記憶装置上に生成されるようになっている。
【００８１】
尚、上記各部（画像取込部５１、コード読取部５２、商品検出部５３、色判別部５４、表示制御部５５、入力受付部５６、情報出力部５７）の一部の機能をＰＯＳ端末１１が備えるように構成してもよい。
【００８２】
また、上記実施形態では、ＰＯＳ端末１１がＰＬＵファイルＦ１〜Ｆ３を備える形態としたが、これに限らず、商品読取装置１０１がＰＬＵファイルＦ１〜Ｆ３を備える形態としてもよいし、ＰＯＳ端末１１及び商品読取装置１０１がアクセス可能な外部装置がＰＬＵファイルＦ１〜Ｆ３を備える形態としてもよい。
【００８３】
また、上記実施形態では、ＰＯＳ端末１１と商品読取装置１０１との２台構成としたが、これに限らず、ＰＯＳ端末１１及び商品読取装置１０１の機能を備えた１台構成の装置としてもよい。例えば、客が商品のスキャンを行って売上登録を行うセルフチェック端末（セルフＰＯＳ）が、上述した本実施形態の情報処理装置の機能を備える形態としてもよい。
【００８４】
また、上述した各表示画面の構成は、図５、図６、図９等で上述した例に限らず、他の要素を表示するための表示領域や操作ボタンを設ける形態としてもよい。
【００８５】
また、上述では、タブ構成を用いて色別商品表示タブ７０を切替えて表示するとしたが、本実施形態の色別商品表示画面はタブ構成に限定されるものではない。別の実施形態として、各色グループの商品選択キー７２は上述のように一覧表示されているが、見出しタブ７１を含まない色別商品表示画面（不図示）を、色判別部５４の判別結果に応じて切替えて表示してもよい。
【００８６】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８７】
以上説明したとおり、第１〜第４の実施形態によれば、商品の色を判別して、その色の色別商品表示タブ７０を表示させるので、各色の色別商品表示タブ７０では表示される商品選択キー７２のキー数を絞り込むことができる。これにより、オペレータはキー配置を把握し易くなり、商品選択キー７２の選択操作を行い易くなる。
【符号の説明】
【００８８】
１…チェックアウトシステム、１１…ＰＯＳ端末、５１…画像取込部、５２…コード読取部、５３…商品検出部、５４…色判別部、５５…表示制御部、５６…入力受付部、５７…情報出力部、７０、７０Ｒ、７０Ｙ…色別商品表示タブ、７１、７１Ｒ、７１Ｙ…見出しタブ、７２、７２ａ、７２ｂ、７２ｃ、７２ｘ、７２ｙ、７２ｚ…商品選択キー、７３、７３Ｙ、２７３ａ、２７３ｂ…キー表示領域、８０…商品選択画面、１０１…商品読取装置、１０３…読取窓、１０４…表示・操作部、１０５…タッチパネル、１０６…表示デバイス、１６４…撮像部、Ｆ１、Ｆ２、Ｆ３…ＰＬＵファイル。
【先行技術文献】
【特許文献】
【００８９】
【特許文献１】特開２０１０−４９６１９号公報
【図１】
0005457479.tif 000002
【図２】
0005457479.tif 000003
【図３】
0005457479.tif 000004
【図４】
0005457479.tif 000005
【図５】
0005457479.tif 000006
【図６】
0005457479.tif 000007
【図７】
0005457479.tif 000008
【図８】
0005457479.tif 000009
【図９】
0005457479.tif 000010
【図１０】
0005457479.tif 000011
【図１１】
0005457479.tif 000012
【図１２】
0005457479.tif 000013